(57)【要約】【課題】  着用性に優れ、保温や血行促進に効果的で、冷え性や肩こり等にも有効な肩掛けを提供する。【解決手段】  平面略馬蹄形で、身体の胸部を覆う二つの前側部２、肩部を覆う中間部３、および背面部を覆う後側部４を有してなり、二つの前側部２同士を係止すべく、前側部２に、面ファスナー、ホック、磁石等の係止部材６を設け、後側部４に切込み７を形成する。また、首部を覆う内側部５を設け、その内側部５にも切込み７を形成する。【選択図】        図１
2007211383.tif 000002
【特許請求の範囲】
【請求項１】
平面略馬蹄形で，身体の胸部を覆う二つの前側部（２），肩部を覆う中間部（３），および背面部を覆う後側部（４）を有してなり、前記二つの前側部同士を係止すべく，該前側部に，面ファスナー，ホック，磁石等の係止部材（６）を設け、前記後側部に切込み（７）を形成したことを特徴とする肩掛け。
【請求項２】
平面略馬蹄形で，身体の胸部を覆う二つの前側部（２），肩部を覆う中間部（３），背面部を覆う後側部（４），および首部を覆う内側部（５）を有してなり、前記二つの前側部同士を係止すべく，該前側部に，面ファスナー，ホック，磁石等の係止部材（６）を設け、前記後側部および内側部に切込み（７）を形成したことを特徴とする肩掛け。
【請求項３】
全体または一部を血流活性化シート（８）で構成したことを特徴とする請求項１または２に記載の肩掛け。
【請求項４】
全体または一部を伸縮性を持つ織布または編布等の布片（１０）で形成し，その全体または一部に血流活性化シート（８）を挿入，縫い付け，接着等によって設けたことを特徴とする請求項１または２に記載の肩掛け。
【請求項５】
少なくとも、後側部（４）または内側部（５）あるいはその両方に、密着および保形用の弾性樹脂シート（９）を設けたことを特徴とする請求項１乃至４に記載の肩掛け。
【請求項６】
血流活性化シート（８）を、マイナスイオンおよび遠赤外線、または磁力を放出する粉粒体を混合した弾性合成樹脂またはゴムあるいはその発泡体で構成したことを特徴とする請求項３乃至５に記載の肩掛け。
【請求項７】
マイナスイオンおよび遠赤外線を放出する粉粒体がゲルマニウムであることを特徴とする請求項６に記載の肩掛け。
【請求項８】
磁力を放出する粉粒体が磁石であることを特徴とする請求項６に記載の肩掛け。
【発明の詳細な説明】
【技術分野】
【０００１】
本発明は、着用性に優れ、保温や血行促進に効果的で、冷え性や肩こり等にも有効な肩掛けに関するものである。
【背景技術】
【０００２】
例えば、寒い時期に屋外で作業を行うと、足もとと同様に、肩や背中などが冷え切ってしまい、肩こりなどの身体の不調が生じることが多い。
【０００３】
こうした点を解消するために、従来から、胸、肩および背中を覆う肩掛けが創案されている（例えば、特許文献１、２参照）。
【特許文献１】特開２００５−２７８８１３号公報
【特許文献２】実用新案登録第３１０５４８４号
【発明の開示】
【発明が解決しようとする課題】
【０００４】
しかし、これらの肩掛けは、単に、平面リング状であったり、馬蹄形であるため、身体を動かすとそれに伴って移動してずれてしまい、着用性が悪いといった問題がある。
【０００５】
本発明はこうした問題に鑑み創案されたもので、着用性に優れ、かつ、保温や血行促進に効果的に、冷え性や肩こり等にも有効な肩掛けを提供することを課題とする。
【課題を解決するための手段】
【０００６】
図１乃至図１０を参照して説明する。請求項１に記載の肩掛け１は、平面略馬蹄形で、身体の胸部を覆う二つの前側部２、肩部を覆う中間部３、および背面部を覆う後側部４を有してなり、前記二つの前側部２同士を係止すべく、当該前側部２に、面ファスナー、ホック、磁石等の係止部材６を設け、前記後側部４に切込み７を形成したことを特徴とするものである。
【０００７】
請求項２に記載の肩掛け１は、平面略馬蹄形で、身体の胸部を覆う二つの前側部２、肩部を覆う中間部３、背面部を覆う後側部４、および首部を覆う内側部５を有してなり、前記二つの前側部２同士を係止すべく、当該前側部２に、面ファスナー、ホック、磁石等の係止部材６を設け、前記後側部４および内側部５に切込み７を形成したことを特徴とするものである。
【０００８】
請求項３に記載の肩掛け１は、請求項１または２に記載の発明において、その全体または一部を血流活性化シート８で構成したことを特徴とするものである。
【０００９】
請求項４に記載の肩掛け１は、請求項１または２に記載の発明において、全体または一部を伸縮性を持つ織布または編布等の布片１０で形成し、その全体または一部に血流活性化シート８を挿入、縫い付け、接着等によって設けたことを特徴とする。なお、ここで言う「挿入」には、布片１０に袋部１１を形成し、その袋部１１に入れる場合を含む。
【００１０】
請求項５に記載の肩掛け１は、請求項１乃至４に記載の発明において、少なくとも、後側部４または内側部５あるいはその両方に、密着および保形用の弾性樹脂シート９を設けたことを特徴とするものである。
【００１１】
請求項６に記載の肩掛け１は、請求項３乃至５に記載の発明において、血流活性化シート８を、マイナスイオンおよび遠赤外線、または磁力を放出する粉粒体を混合した弾性合成樹脂またはゴムあるいはその発泡体で構成したことを特徴とするものである。
【００１２】
請求項７に記載の肩掛け１は、請求項６に記載の発明において、マイナスイオンおよび遠赤外線を放出する粉粒体がゲルマニウムであることを特徴とするものである。
【００１３】
請求項８に記載の肩掛け１は、請求項６に記載の発明において、磁力を放出する粉粒体が磁石であることを特徴とするものである。
【発明の効果】
【００１４】
請求項１に記載の肩掛け１は、二つの前側部２同士を係止すべく、その前側部２に、面ファスナー、ホック、磁石等の係止部材６を設け、かつ、後側部４に切込み７を形成したので、極めて着用性に優れる。
【００１５】
すなわち、例えば、屋外での身体を大きく動かす作業においても、二つの前側部２を係止部材６で係止しているので、身体から外れることがない。また、後側部４に切込み７を形成しているので、この切込み７が肩掛け１の動きを吸収し、身体からずれるのを防止する。
【００１６】
一般に、作業などにおいて身体を動かすと、胸部に比べて背面部の動きの方が大きいため、肩掛け１の後側部４には、背面部の動きに合わせて、左右方向に拡大および縮小といった歪み変形が強く作用する。その結果、肩掛け１がずり下がったり移動するなどの作用を受けるが、その作用を小さくするために後側部４に切込み７を形成して隙間を作り、その切込み（隙間）７によって歪みの作用を吸収し緩和するものである。
【００１７】
これにより、身体の動きに対応して切込み（隙間）７が開いたり閉じたりして肩掛け１に作用する歪み変形の力を緩和し、その結果、肩掛け１の身体への密着性を高め、そのずれを小さくすることができるものである。
【００１８】
なお、この肩掛け１は、前側部２で身体の胸部を覆い、中間部３で肩部を覆い、さらに後側部４で背面部を覆うので、保温や血行促進に効果的である。よって、冷え性や肩こりの改善にも有効である。
【００１９】
請求項２に記載の肩掛け１は、請求項１に記載の発明と同様に、着用性に優れ、保温や血行促進に効果的である。また、この肩掛け１は、首部を覆う内側部５を有しているので、当該首部の保温や血行促進も行うことができる。さらに、内側部５にも切込み７を形成しているので、首部の動きによってずれることがなく、着用性に優れる。
【００２０】
この肩掛け１を着用して首部を動かした場合、内側部５に加わる歪み変形作用は、後側部４の場合と同様に大きい。当該肩掛け１は、内側部５にも切込み７を形成しているので、首部の動きに伴って当該切込み（隙間）７が開いたり閉じたりして、歪み変形力を吸収する。その結果、身体への密着性を高めてずれを防止することができ、着用性に極めて優れる。
【００２１】
請求項３に記載の肩掛け１は、請求項１および２に記載の発明と同様に着用性、保温性および血行促進に優れる。また、その全体または一部を血流活性化シート８で構成したので、身体の血流を促進して、より高い保温効果を発揮し、さらには身体を温めるので冷え性や肩こりにも、より有効である。
【００２２】
請求項４に記載の肩掛け１は、請求項１および２に記載の発明と同様に、着用性、保温性および血行促進に優れる。また、全体または一部を伸縮性を持つ織布や編布等の布片１０で形成したので、その柔軟性により、さらに優れた着用性を発揮する。また、その全体または一部に血流活性化シート８を挿入、縫い付け、接着等によって設けたので、当該シート８が布片１０からずれたり離脱することがない。よって、着用性に優れる。
【００２３】
請求項５に記載の肩掛け１は、請求項１乃至４に記載の発明と同様の効果を発揮する。また、後側部４または内側部５あるいはその両方に、密着および保形用の弾性樹脂シート９を設けたので、身体への密着性が向上し、着用性により優れる。
【００２４】
請求項６に記載の肩掛け１は、請求項３乃至５に記載の発明と同様の効果を発揮する。また、血流活性化シート８を、マイナスイオンおよび遠赤外線、または磁力を放出する粉粒体を混合した弾性合成樹脂またはゴムあるいはその発泡体で構成したので、保温と血行促進をより促すことができる。
【００２５】
なお、マイナスイオンは、疲労によって酸化した血液に作用して中性化し、体内の新陳代謝を活発化するといった作用を発揮する。また、遠赤外線は、血流を良くして血行を促進すると共に、温熱効果を発揮する。そして、磁力は、同様に血流を促して血行を促進する。
【００２６】
なお、弾性合成樹脂またはゴムを発泡体とすると、多数の空隙が形成されるので、その表面積が拡大し、マイナスイオンおよび遠赤外線の放出率が向上し、新陳代謝および血行促進をさらに促すことができる。
【００２７】
請求項７に記載の肩掛け１は、請求項６に記載の発明と同様の効果を発揮する。また、マイナスイオンおよび遠赤外線を放出する粉粒体がゲルマニウムであるので、それらを安定的かつ充分に放出して、保温および血行促進を促すことができる。
【００２８】
請求項８に記載の肩掛け１は、請求項６に記載の発明と同様の効果を発揮する。また、磁力を放出する粉粒体が磁石であるので、確実かつ半永久的に磁力を放出して、効果的に血行を促進することができる。
【発明を実施するための最良の形態】
【００２９】
本発明に係る肩掛け１の第一実施形態を、図１乃至図４に示す。これは、平面略馬蹄形で、身体の胸部を覆う二つの前側部２、肩部を覆う二つの中間部３、および背面部の上部を覆う後側部４を有している。また、二つの前側部２同士を係止すべく、当該前側部２に、面ファスナーからなる係止部材６を設けている。さらに、背面部を覆う後側部４に、三つの切込み７を縦方向に形成し、その一端部を開放している。なお、切込み７の数は限定されない。また、その方向も縦方向に限定されず、例えば、斜め方向に形成することもできる。
【００３０】
この肩掛け１は、例えば、屋外での身体を大きく動かす作業においても、二つの前側部２を係止部材６で係止しているので、身体から外れることがない。また、後側部４に複数の切込み７を形成しているので、この切込み７が肩掛け１の動きを吸収し、よって、身体からずれるのを防止する。従って、極めて着用性に優れる。
【００３１】
また、この肩掛け１は、前側部２で身体の胸部を覆い、中間部３で肩部を覆い、さらに後側部４で背面部を覆うので、保温や血行促進に効果的である。よって、冷え性や肩こりの改善にも有効である。
【００３２】
本発明に係る肩掛け１の第二実施形態を、図５乃至図８に示す。この肩掛け１は、第一実施形態の肩掛け１の構成に加えて、首部を覆う内側部５を設け、当該内側部５にも一端を開放した切込み７を形成したことを特徴としている。本実施形態では、三つの切込み７を係止しているが、その数は限定されない。
【００３３】
この肩掛け１は、首部を覆う内側部５を設けたので、胸部、肩部、背面部に加えて当該首部の保温や血行促進を効果的に行うことができる。また、内側部５にも切込み７を形成しているので、首部の動きによってずれることがなく、着用性にも優れる。
【００３４】
なお、第一実施形態および第二実施形態に係る肩掛け１は、その全体または一部を血流活性化シート８で構成することができる。血流活性化シート８は、例えば、マイナスイオンおよび遠赤外線、または磁力を放出する粉粒体を混合した弾性合成樹脂またはゴムあるいはその発泡体で構成することができる。その場合、マイナスイオンおよび遠赤外線を放出する粉粒体をゲルマニウムで構成することができる。また、磁力を放出する粉粒体を磁石で構成することができる。
【００３５】
本発明に係る肩掛け１の第三実施形態を、図９および図１０に示す。これは、全体を伸縮性を持つ布片（織布や編布）１０で形成し、その所望部分に袋部１１を設け、その袋部１１に血流活性化シート８を挿入したものである。
【００３６】
なお、この肩掛け１は、伸縮性を持つトリコットやメリヤス編みなどの布片１０で構成することができる。そして、上記したように、その所望部分に袋部１１を構成し、その袋部１１に弾性血流活性化シート８を挿入すると、その布片１０の伸縮性と後側部４および内側部５に形成した切込み７との組み合わせ作用によって、さらにずれ難くて密着性が高く、より優れた着用性を有する肩掛け１とすることができる。そしてこの袋部１１は、首部，肩部，背面部のいわゆるツボ部及びその廻りに多数設けておけば、肩掛け１を装着するとき身体のこりの状況に応じて血流活性化シート８の配置位置を移動することが出来、より効果が上がる。
【００３７】
また、袋部１１を設ける代わりに、布片１０の中の所望部分に挟んだり、千鳥縫い付け、あるいは、柔軟接着等で固定することができるし、これらの組合せでも良い。いずれの場合も、同様に、ずれ難く、密着性が高く、着用性に優れる肩掛け１とすることができる。
【００３８】
さらに、少なくとも、後側部４または内側部５あるいはその両方の内面側に、密着および保形用として弾性樹脂シート９を設けて、身体に対する密着性を高め、着用性の向上を図ることができる。なお、この弾性樹脂シート９は、中間部３や内側部５に設けることもできる。また、この弾性樹脂シート９は、第一実施形態および第二実施形態に係る肩掛け１に設けることもできる。
【産業上の利用可能性】
【００３９】
本発明に係る肩掛け１の構成要件である切込み７は、腰痛保護帯及び保温ベストの背面部上部や下部にも形成して、その着用性を高めることができる。
【図面の簡単な説明】
【００４０】
【図１】本発明に係る肩掛けの第一実施形態を示す平面図である。
【図２】図１に示す肩掛けを着用した状態を示す正面図である。
【図３】図１に示す肩掛けを着用した状態を示す背面図である。
【図４】図１に示す肩掛けを着用した状態を示す側面図である。
【図５】本発明に係る肩掛けの第二実施形態を示す平面図である。
【図６】図５に示す肩掛けを着用した状態を示す正面図である。
【図７】図５に示す肩掛けを着用した状態を示す背面図である。
【図８】図５に示す肩掛けを着用した状態を示す側面図である。
【図９】本発明の第三実施形態に係る肩掛けを示す平面図である。
【図１０】図９のＸ−Ｘ線断面図である。
【図１１】図９のＹ−Ｙ線断面図である。
【符号の説明】
【００４１】
１      肩掛け
２      前側部
３      中間部
４      後側部
５      内側部
６      係止部材
７      切込み
８      血流活性化シート
９      弾性樹脂シート
１０    布片
１１    袋部
【図１】
2007211383.tif 000003
【図２】
2007211383.tif 000004
【図３】
2007211383.tif 000005
【図４】
2007211383.tif 000006
【図５】
2007211383.tif 000007
【図６】
2007211383.tif 000008
【図７】
2007211383.tif 000009
【図８】
2007211383.tif 000010
【図９】
2007211383.tif 000011
【図１０】
2007211383.tif 000012
【図１１】
2007211383.tif 000013